(57)【要約】【課題】本発明は、前洗い運転後に待ち時間を掛けずに本来の洗浄運転に進むことができる食器洗い機を提供することを目的とする。【解決手段】本発明は、洗浄する食器を収納する洗浄槽と、食器に洗浄水を噴射または循環を行なう洗浄水噴射循環手段と、食器に給湯水または水道水を含む給水を散布する給水手段と、給水された洗浄水を加熱する加熱手段と、洗浄水を食器洗浄機の機体外に排水する排水手段と、洗浄した食器を乾燥する乾燥手段とを有する食器洗い機において、給水手段による散布給水と排水手段による排水とが一緒に行なわれる前洗い工程を、洗浄から乾燥まで行なう本洗い工程の前に実行することを特徴とする。【選択図】  図３
2006149494.tif 000002
【特許請求の範囲】
【請求項１】
洗浄する食器を収納する洗浄槽と、前記食器に洗浄水を噴射または循環を行なう洗浄水噴射循環手段と、前記食器に給湯水または水道水を含む給水を散布する給水手段と、給水された洗浄水を加熱する加熱手段と、前記洗浄水を食器洗浄機の機体外に排水する排水手段と、洗浄した前記食器を乾燥する乾燥手段とを有する食器洗い機において、
前記給水手段による散布給水と前記排水手段による排水とが一緒に行なわれる前洗い工程を、洗浄から乾燥まで行なう本洗い工程の前に実行することを特徴とする食器洗い機。
【請求項２】
洗浄する食器を収納する洗浄槽と、前記食器に洗浄水を噴射または循環を行なう洗浄水噴射循環手段と、前記食器に給湯水または水道水を含む給水を散布する給水手段と、給水された洗浄水を加熱する加熱手段と、前記洗浄水を食器洗浄機の機体外に排水する排水手段と、洗浄した前記食器を乾燥する乾燥手段とを有する食器洗い機において、
前記給水手段と洗浄水噴射循環手段との流路を分離したことを特徴とする食器洗い機。
【請求項３】
洗浄する食器を収納する洗浄槽と、前記洗浄槽内に設けられ、かつ給湯水ないし水道水を含む給水または洗浄水を噴射する噴射ノズル部材と、前記噴射ノズル部材に前記給水を導く給水路と、前記噴射ノズル部材に前記洗浄水を導く洗浄水路とを有し、
前記給水路の吐出側と、前記洗浄水路の吐出側とに逆止弁を設けたことを特徴とする食器洗い機。
【請求項４】
請求項１から３の何れかにおいて、
洗浄水より残滓を濾過する着脱自在なる残菜フィルターを備え、
残菜フィルターの脱着を検知する脱着検知センサーを設けたことを特徴とする食器洗い機。
【請求項５】
請求項１または２において、
前洗い工程の実行では、前記給湯水による洗い時間を前記水道水による洗い時間よりも短くしたことを特徴とする食器洗い機。
【請求項６】
請求項５において、
前記給水の温度を検知する水温検知センサーを設けたことを特徴とする食器洗い機。
【請求項７】
請求項４において、
洗浄から乾燥まで行なう本洗い工程の前に行なう前洗い工程が実行された後に前記残菜フィルターの脱着を促す表示またはアラームによる報知を行なうことを特徴とする食器洗い機。
【発明の詳細な説明】
【技術分野】
【０００１】
本発明は、食器に付着した残滓を食器かごにセットした状態で給湯または水道水を散布して前洗いすることにより、事前に食器を個別に洗わなくても良くした食器洗い機に関する。
【背景技術】
【０００２】
この前洗いが行なわれる食器洗い機は、例えば、特許文献１（特開平９−２８５４３４号公報）に示されている。
【０００３】
【特許文献１】特開平９−２８５４３４号公報
【発明の開示】
【発明が解決しようとする課題】
【０００４】
この前洗いに使われた洗浄水は、食器洗い機に溜まる。本来の洗浄運転（洗浄から乾燥）をする前に溜まった洗浄水を全部、排水しなければならないので、本来の洗浄運転に移るまでに待ち時間がかかる。
【０００５】
本発明は、上記の問題に鑑み、前洗い運転後に待ち時間を掛けずに本来の洗浄運転に進むことができる食器洗い機を提供することを目的とする。
【課題を解決するための手段】
【０００６】
本発明は、洗浄する食器を収納する洗浄槽と、食器に洗浄水を噴射または循環を行なう洗浄水噴射循環手段と、食器に給湯水または水道水を含む給水を散布する給水手段と、給水された洗浄水を加熱する加熱手段と、洗浄水を食器洗浄機の機体外に排水する排水手段と、洗浄した食器を乾燥する乾燥手段とを有する食器洗い機において、給水手段による散布給水と排水手段による排水とが一緒に行なわれる前洗い工程を、洗浄から乾燥まで行なう本洗い工程の前に実行することを特徴とする。
【発明の効果】
【０００７】
本発明によれば、前洗い工程中に排水が並行して行なわれるので、前洗い工程の後に排水を行なうことなく本洗い工程に進むことができる。
【発明を実施するための最良の形態】
【０００８】
本発明の実施形態に係わる実施例について図に沿って説明する。
【０００９】
図１に示すように、食器洗い機の前面に設けられたドア開閉用のアーム１を押すことによりドアロックが解除され、取っ手２が付いた上扉３と下扉４がほぼ同時に開かれる。
【００１０】
また、食器洗い機の前面の下部には、操作表示部５が設けられる。この操作表示部５に備わるスタートボタン６のスイッチを押すことにより運転を開始する。操作表示部５の裏側にはコントローラ７が内蔵されている。操作表示部５の上側には前洗いの表示をした表示部８と操作キー９が付いている。表示部８は操作キー９を押すことにより、給水が行なわれている時はＬＥＤが点滅または点灯する。
【００１１】
図２に示すように、給水ホース２０には給水を制御するための給水電磁弁２１が接続されている。
【００１２】
給水電磁弁２１の吐出端側には、食器洗い機の洗浄槽２２の内側に配管された配管路２３が接続される。配管路２３は、分岐されて上部給水噴射ノズル部材２４と中段部給水噴射ノズル部材２５に接続されている。
【００１３】
また、循環ポンプ（図示省略）により加圧された洗浄水は、洗浄槽２２の下側に設けた洗浄水噴射回転ノズル体２６、２７から噴射される。また、さらに洗浄水の一部は洗浄槽内に設けられた配管路（図示省略）を通って上部洗浄水噴射ノズル部材２８から噴射される。
【００１４】
洗浄槽２２内には食器を収納するために上部には上かご２９、下部には下かご３０が取付けられている。給水電磁弁２１は水道水の流量の上限を抑えた流量調節器（定水量型）を備え、不用意に流量及び圧力が大きくなって軽い食器が破損することを防止している。
【００１５】
本実施例の場合には、上限の流量を６〜１２リットル／分の範囲で調整している。上部給水噴射ノズル部材２４と中段部給水噴射ノズル部材２５の分岐部には圧力の弱い給湯を使用する場合に備えて切換機構（図示省略）を設けて噴出が上部／中段部と交互にすることにより噴出の勢いの低下を防止している。
【００１６】
図３は、本発明の主要部に係わる洗浄水噴射循環手段や前記給水手段の流路回りを示す。
【００１７】
まず、給水手段の流路回りについて述べる。
【００１８】
給水手段の流路回りは、水道の蛇口３１、給水ホース２０、給水電磁弁２１、配管路２３、上部給水噴射ノズル部材２４、中段部給水噴射ノズル部材２５、切換機構３３を有する。
【００１９】
水道の蛇口３１には、給水ホース２０が接続される。給水ホース２０の吐出側は、食器洗い機の機体に内蔵された給水電磁弁２１に接続される。給水電磁弁２１の吐出側に接続される配管路２３は、上部給水噴射ノズル部材２４と中段部給水噴射ノズル部材２５に接続される。
【００２０】
配管路２３には、上部給水噴射ノズル部材２４側と中段部給水噴射ノズル部材２５側とに分かれる分岐点に水流切換用の切換機構３３を設ける。切換機構３３の切り替えにより、上部給水噴射ノズル部材２４より給水を噴射／散布させたり、中段部給水噴射ノズル部材２５より給水を噴射／散布させたりする。
【００２１】
水流切換機構３３は、圧力の小さい給湯器をより給水する場合に好都合である。上部給水噴射ノズル部材２４と中段部給水噴射ノズル部材２５から同時に噴射せずに別個に分けて給水するので、水量や圧力の低下が抑えられ、勢い良い噴射給水ができる。
【００２２】
この噴射給水が上部給水噴射ノズル部材２４と中段部給水噴射ノズル部材２５から行なわれるので、食器に付着する残滓等を洗い落すことができる。
【００２３】
なお、切換機構３３を設けないで、上部給水噴射ノズル部材２４と中段部給水噴射ノズル部材２５より同時に給水することも可能である。
【００２４】
洗浄水噴射循環手段の流路回りについて述べる。
【００２５】
洗浄水噴射循環手段の流路回りは、洗浄水循環ポンプ３５、水流切換弁３６、配管路３２、上部洗浄水噴射ノズル部材２８、洗浄水噴射回転ノズル体２６、２７を有する。
【００２６】
洗浄水循環ポンプ３５の吸込路３４は、上端に取水口を有する。この取水口は、洗浄槽２２の底部３９より幾分高いところに位置する。
【００２７】
また、残菜フィルター３７は、吸込路３４の取水口に着脱自在に取り付けられる。マグネット３８が残菜フィルター３７に設けられ、このマグネット３８に対向する洗浄槽２２の外側面に磁気検知の検知装置３８ａが備えられる。
【００２８】
洗浄槽２２内の洗浄水は、取水口、吸込路３４を通り、洗浄水循環ポンプ３５で加圧されて洗浄水噴射回転ノズル体２６、２７から洗浄槽２２内に噴射される。また、洗浄水循環ポンプ３５から吐出された洗浄水の一部は配管路３２を流れて上部洗浄水噴射ノズル部材２８から洗浄槽２２内に噴射される。洗浄槽２２内に上下から洗浄水がされるので、食器が良く洗われる。
【００２９】
また、水流切換弁３６の切り替え操作により、洗浄水噴射回転ノズル体２６、２７だけから、また上部洗浄水噴射ノズル部材２８だけから洗浄水を噴水させるように選択できる。
【００３０】
残菜フィルター３７を取り外して捕集した残滓の掃除して取り付ける。残菜フィルター３７の脱着は、検知装置３８ａにより検知される。
【００３１】
図４に沿って本発明の他の実施例を説明する。
【００３２】
噴射ノズル部材４４が洗浄槽２２の上側に設けられる。この噴射ノズル部材４４は、給湯水ないし水道水を含む給水または洗浄水を噴射する。給水用の噴射ノズルと洗浄水用のノズルが一つになるので、洗浄槽２２内を食器の収納に広く使える。
【００３３】
噴射ノズル部材４４に給水を導く給水路である給水側配管路４０と、噴射ノズル部材４４に洗浄水を導く洗浄水路である洗浄水側配管路４１が隣接して設けられる。給水路である給水側配管路４０の吐出側には、逆止弁４２が設けられる。洗浄水路である洗浄水側配管路４１の吐出側には、逆止弁４３が設けられる。
【００３４】
水道水が供給されると水道水は給水側配管路４０を通って逆止弁４２を押して噴射ノズル部材４４側に水道水は流れるが洗浄水側配管路４１には逆止弁４３が付いているため流れず噴射ノズル部材４４側に全て流れるので水圧が小さいときでも水量を確保できる。
【００３５】
また、水道水を遮断したときに洗浄槽内の洗浄水と直接連通することが無いため洗浄水が給水電磁弁２１側に逆流することが無い。また、洗浄水循環ポンプ３５が動作して洗浄水を加圧循環させたときは、洗浄水は洗浄水側配管路４１を通って逆止弁４３を通って噴射ノズル部材４４に流れる。
【００３６】
図５を引用して食器洗い機の電気回路について説明する。
【００３７】
単相交流電源５０には、コンセント５１を介して電流ヒューズ５２、電源スイッチ５３、ドアスイッチ５４が直列に接続されている。これらの一端に洗浄水循環ポンプ３５、シーズヒータ５５、給水電磁弁２１、水流切換弁３６、送風用ファン５６が接続されている。
【００３８】
洗浄水循環ポンプ３５には電流ヒューズ６１、モータ６２、進相コンデンサ６３、ＦＬＳ６４、６５が接続されている。シーズヒータ５５には直列に温度ヒューズ５７とリレースイッチ５８が接続されている。
【００３９】
また、送風用ファン５６には、電源トランス５９と整流器６０が直列に接続されている。モータ６２はサーマルプロテクタ６６に主巻線６７、補助巻線６８で構成されている。洗浄水循環ポンプ３５は、ＦＬＳ６５に通電したときは洗浄水循環用のポンプ（正転時）として機能しＦＬＳ６４に通電したときは排水用のポンプ（逆転時）として動作する。
【００４０】
洗浄水循環ポンプ３５が排水用のポンプとして作動したときの排水は、排水ホース８０より機体外に排出される。
【００４１】
マイコン７０には、単相交流電源５０から低圧の直流電源を直流電源回路７１から供給している。また、マイコン７０は、パネル上にある操作ボタンによる入力と表示をコントロールしている。さらにマイコン７０は、水位センサー、水温センサー、残菜フィルター検知などの入力を取り込んでコントロールしている。
【００４２】
前洗いの工程、および本洗い工程について、図６を引用して説明する。
【００４３】
前洗いを行う場合は、大きな残菜のみを除去した食器を食器洗い機の所定の食器かごにセットする。このとき、洗剤の使用はしない。前洗い工程が終了した後に行なわれる本洗い工程で洗剤が使用される。
【００４４】
操作表示部５には、前洗いの表示部８と操作キー９がある。操作キー９を押すと表示部８にあるＬＥＤが点灯または点滅し、前洗い工程に移行したことを示す。
【００４５】
前洗い工程は水道水の場合は給水電磁弁２１の流量が６〜１２リットル／分の範囲に設定しているので洗浄槽内に洗浄水が満杯になるのが約２リットル程度なので１０〜２０秒程度の時間、給水して食器に付着した大きな汚れを落とす。洗い落とされた大き目の残滓は残菜フィルター３８に集めて本洗い工程に移る前に捨てる。
【００４６】
前洗い工程では、洗浄水循環ポンプ３５を排水用のポンプとして作動させ、排水も並行して行なわれる。
【００４７】
１回当たりの前洗いの時間（給水量）は決めておき、不足のときは再度操作キー９を押す。すなわち、一回当たりの前洗いの時間は一定であるが、操作キー９を押している間は,その時間を超えて前洗いを続けることが出来る。
【００４８】
この場合は、ドアの部分が透明窓になっていると、前洗いの状態が常に目視できるので適当なところで停止すことが出来る。また、給湯の場合は汚れの落ち方が早いので最初に給湯した時点で水温センサーにより温度を検知して給湯期間を水道水より短く制御している。
【００４９】
また、水道水と洗浄水の通路を完全に分離することにより水道水側に洗浄水が混入することがない様にしている。噴射ノズルを共用したときは互いの通路に逆止弁４２、４３を設けて水道水側に洗浄水が進入しない様にしている。
【００５０】
前洗いが終了すると、残菜フィルター３７を一旦はずして残菜を捨てる。この捨て操作の忘れ防止のために、残菜フィルター３７に耐水性に優れたフェライト系のマグネット３８を残菜フィルター３７に装着し、検知装置３８ａで残菜フィルター３７が外されたかどうか検知するようにいている。外すことを忘れた場合にはアラームを出す。
【００５１】
給湯専用または水道水圧が低い場合は、上部給水噴射ノズル部材２４と中段部給水噴射ノズル部材２５から同時に噴射させると水流の勢いが低下し洗浄出来なくなる。このため、切換機構３３を設けて一個ずつ動作させて水流の勢いの低下を防止するようにした。
【００５２】
このように、水道水を使用して、食器に付着した多量の残菜が本洗浄を行う前に一定時間専用の上部給水噴射ノズル部材と中段部給水噴射ノズル部材から噴射して洗い流すことができる。洗い流した残滓は、一旦、残菜フィルターに集めてから捨てる。前洗いした後、洗剤を投入して本洗いをすることにより、本洗い前に食器に水をかけてから食器かごに入れていた作業を食器洗い機の中に入れた状態で行うようにし、使い勝手および節水に優れた食器洗い機を提供する。また、この前洗い工程により余分な油分が少なくなり洗剤の使用量を低減することが出来る。
【００５３】
前洗い工程では、洗浄水循環ポンプを逆転させて排水を一緒に行なうので、食器洗い機内に洗浄水が溜まらない。このため、前洗い後に洗浄水を手間をかけることなく、本洗いに移ることができる。
【図面の簡単な説明】
【００５４】
【図１】本発明の実施形態に係わる実施例を示すもので、食器洗い機の正面図である。
【図２】本発明の実施形態に係わる実施例を示すもので、上／下扉を開けた状態の正面図である。
【図３】本発明の実施形態に係わる実施例を示すもので、洗浄水噴射循環手段や前記給水手段の流路回りを示した図である。
【図４】本発明の実施形態に係わる他の実施例を示すもので、噴射ノズル部材、給水路、ないし洗浄水路を示す図である。
【図５】本発明の実施形態に係わる実施例を示すもので、食器洗い機の電気回路を示す図である。
【図６】本発明の実施形態に係わる実施例を示すもので、本洗い工程、および前洗い工程のフローを示す図である。
【符号の説明】
【００５５】
５…操作表示部、６…スタートボタン、９…操作キー、２２…洗浄槽、２４…上部給水噴射ノズル部材、２５…中段部給水噴射ノズル部材、３５…洗浄水循環ポンプ。
【図１】
2006149494.tif 000003
【図２】
2006149494.tif 000004
【図３】
2006149494.tif 000005
【図４】
2006149494.tif 000006
【図５】
2006149494.tif 000007
【図６】
2006149494.tif 000008